(57)【要約】【課題】タイバンド部分を電線挿通空間に配して、外部からの衝撃がタイバンド部分に直接加わることを阻止する。【解決手段】本明細書によって開示されるコネクタカバー１０は、一対の半割体２０、３０を組み付けて構成されるコネクタカバー１０であって、タイバンド部分２５が一体に設けられた第１半割体２０と、第１半割体２０に組み付けられることで第１半割体２０との間に電線挿通空間１１が形成される第２半割体３０と、第１半割体２０と第２半割体３０のいずれか一方に設けられ、タイバンド部分２５を挿通させて固定するバンド固定部２８とを備え、タイバンド部分２５は、電線挿通空間１１からバンド固定部２８を通って外部に引き出されることで電線Ｗを固定する構成とした。【選択図】図５
2016213076.tif 000002
【特許請求の範囲】
【請求項１】
一対の半割体を組み付けて構成されるコネクタカバーであって、
タイバンド部分が一体に設けられた第１半割体と、
前記第１半割体に組み付けられることで前記第１半割体との間に電線挿通空間が形成される第２半割体と、
前記第１半割体と前記第２半割体のいずれか一方に設けられ、前記タイバンド部分を挿通させて固定するバンド固定部とを備え、
前記タイバンド部分は、前記電線挿通空間から前記バンド固定部を通って外部に引き出されることで前記電線を固定するコネクタカバー。
【請求項２】
前記タイバンド部分は、前記第１半割体における前記第２半割体との合わせ面から前記電線挿通空間とは反対側に突出した後、１８０°折り返されて前記電線挿通空間に進入し、前記第１半割体に設けられた前記バンド固定部を通って外部に引き出される請求項１に記載のコネクタカバー。
【請求項３】
前記第２半割体における前記第１半割体との合わせ面には、１８０°折り返された前記タイバンド部分を前記電線挿通空間に進入させる凹部が設けられている請求項２に記載のコネクタカバー。
【発明の詳細な説明】
【技術分野】
【０００１】
本明細書によって開示される技術は、コネクタカバーに関する。
【背景技術】
【０００２】
従来、ハウジングから引き出された電線をタイバンドで固定するコネクタとして、例えば特開平１１−３２９５７５号公報（下記特許文献１）に記載のものが知られている。このように電線を固定することにより、電線が引っ張られることで衝撃荷重が発生した場合に、その衝撃荷重が端子の圧着部に伝わることを回避できる。
【先行技術文献】
【特許文献】
【０００３】
【特許文献１】特開平１１−３２９５７５号公報
【発明の概要】
【発明が解決しようとする課題】
【０００４】
しかしながら、上記のコネクタでは、タイバンドおよびこのタイバンドを固定する配索強制具が外部に露出しているため、外部からの衝撃がタイバンドに直接加わる等してタイバンドが切れたり、緩んだりするおそれがある。
【課題を解決するための手段】
【０００５】
本明細書によって開示されるコネクタカバーは、一対の半割体を組み付けて構成されるコネクタカバーであって、タイバンド部分が一体に設けられた第１半割体と、前記第１半割体に組み付けられることで前記第１半割体との間に電線挿通空間が形成される第２半割体と、前記第１半割体と前記第２半割体のいずれか一方に設けられ、前記タイバンド部分を挿通させて固定するバンド固定部とを備え、前記タイバンド部分は、前記電線挿通空間から前記バンド固定部を通って外部に引き出されることで前記電線を固定する構成とした。
【０００６】
このような構成によると、タイバンド部分で電線を巻き付けてバンド固定部に固定することにより電線を電線挿通空間においてコネクタカバーに固定できる。ここで、電線が引っ張られることで衝撃荷重が発生した場合に、その衝撃荷重をタイバンド部分で緩和できるため、電線の端末に接続された端子の圧着部にそのまま衝撃荷重が伝わって断線することを回避できる。また、タイバンド部分は電線挿通空間で電線を固定しているため、外部からの衝撃がタイバンド部分に直接加わることを阻止でき、タイバンド部分が切れたり、緩んだりすることはない。
【０００７】
本明細書によって開示されるコネクタカバーは、以下の構成としてもよい。
前記タイバンド部分は、前記第１半割体における前記第２半割体との合わせ面から前記電線挿通空間とは反対側に突出した後、１８０°折り返されて前記電線挿通空間に進入し、前記第１半割体に設けられた前記バンド固定部を通って外部に引き出される構成としてもよい。
このような構成によると、タイバンド部分とバンド固定部の双方が第１半割体に設けられているから、第２半割体については従来のコネクタカバーをそのまま流用することができる。
【０００８】
前記第２半割体における前記第１半割体との合わせ面には、１８０°折り返された前記タイバンド部分を前記電線挿通空間に進入させる凹部が設けられている構成としてもよい。
このような構成によると、１８０°折り返されたタイバンド部分を凹部に通すことにより、タイバンド部分を緩やかに曲げることができる。
【発明の効果】
【０００９】
本明細書によって開示されるコネクタカバーによれば、タイバンド部分を電線挿通空間に配して、外部からの衝撃がタイバンド部分に直接加わることを阻止できる。
【図面の簡単な説明】
【００１０】
【図１】実施形態におけるコネクタカバーの斜視図
【図２】コネクタカバーの正面図
【図３】コネクタカバーの平面図
【図４】図３におけるＡ−Ａ線断面図
【図５】図４の状態からタイバンド部分で電線を巻き付けて固定した状態を示した断面図
【図６】第２半割体の斜視図
【図７】第１半割体の側面図
【発明を実施するための形態】
【００１１】
＜実施形態＞
実施形態を図１から図７の図面を参照しながら説明する。本実施形態におけるコネクタカバー１０は、図１に示すように、第１半割体２０と第２半割体３０を組み付けて構成されている。コネクタカバー１０の内部には、複数の電線Ｗを挿通させる電線挿通空間１１が設けられている。この電線挿通空間１１は、コネクタカバー１０の内部を前後方向に貫通する形態とされている。コネクタカバー１０の前端側は、図示しないコネクタの電線引出部に取り付けるための取付部１２が左右一対設けられている。
【００１２】
第１半割体２０と第２半割体３０は、いずれも係止片２１、３１と被係止突部２２、３２をそれぞれ上下両面に有している。第１半割体２０の第１係止片２１は、第２半割体３０の第２被係止突部３２に係止し、第２半割体３０の第２係止片３１は、第１半割体２０の第１被係止突部２２に係止するようになっている。これにより、第１半割体２０と第２半割体３０は、互いに係止した状態となって離脱不能に保持される。
【００１３】
第１半割体２０と第２半割体３０は、図６および図７に示すように、いずれも図示しないコルゲートチューブを保持するための複数の突部２３、３３を有している。第１半割体２０と第２半割体３０を組み付けると、双方の突部２３、３３が一体となって、図２に示すように、一続きの環状突部が構成されるようになっている。この環状突部をコルゲートチューブの溝部に嵌着させることにより、コルゲートチューブがコネクタカバー１０の後端側に抜け止めされて保持される。
【００１４】
さて、図７に示すように、第１半割体２０における第２半割体３０との合わせ面２４には、帯状をなして上方に延びるタイバンド部分２５が設けられている。このタイバンド部分２５は、合わせ面２４から電線挿通空間１１とは反対側（上方）に突出する形態をなしている。このため、タイバンド部分２５の内面２５Ａは、合わせ面２４と面一をなしている。一方、タイバンド部分２５の外面２５Ｂ側には、図１に示すように、鋸歯状をなす多数の係止歯２６が長さ方向に沿って設けられている。
【００１５】
また、第１半割体２０における第２半割体３０との対向壁２７には、バンド固定部２８が設けられている。バンド固定部２８は、タイバンド部分２５を電線挿通空間１１から外部に挿通させることが可能なように角筒状に構成されている。図４に示すように、バンド固定部２８の内部における下面には、タイバンド部分２５の各係止歯２６に順次係止可能なロック片２８Ａが撓み可能に設けられている。
【００１６】
一方、図６に示すように、第２半割体３０における第１半割体２０との合わせ面３４には、タイバンド部分２５を外部から電線挿通空間１１に進入させる凹部３５が設けられている。この凹部３５は、図１に示すように、タイバンド部分２５と対向する位置に設けられている。このため、図５に示すように、タイバンド部分２５が第１半割体２０の合わせ面２４から上方に向かった後、１８０°折り返されて凹部３５を通って電線挿通空間１１に進入し、ここからバンド固定部２８の内部を通って再び外部に引き出され、いずれか一つの係止歯２６がロック片２８Ａに係止されることでタイバンド部分２５がバンド固定部２８に固定される。その後、バンド固定部２８から外部に飛び出したタイバンド部分２５の余長部分を適宜切断する等して外部からの衝撃がタイバンド部分２５に直接伝わらないようにすることが望ましい。
【００１７】
これにより、複数の電線Ｗがタイバンド部分２５によって電線挿通空間１１で固定されることになる。このようにすれば、電線Ｗが引っ張られる等して衝撃荷重が発生した場合に、この衝撃荷重をタイバンド部分２５による電線固定部分で緩和することができる。したがって、電線Ｗの端末に接続された端子の圧着部に衝撃荷重がそのまま伝わって電線Ｗが断線することを回避できる。
【００１８】
以上のように本実施形態では、タイバンド部分２５で電線Ｗを巻き付けてバンド固定部２８に固定することにより電線Ｗを電線挿通空間１１においてコネクタカバー１０に固定できる。ここで、電線Ｗが引っ張られることで衝撃荷重が発生した場合に、その衝撃荷重をタイバンド部分２５で緩和できるため、電線Ｗの端末に接続された端子の圧着部にそのまま衝撃荷重が伝わって断線することを回避できる。また、タイバンド部分２５は電線挿通空間１１で電線Ｗを固定しているため、外部からの衝撃がタイバンド部分２５に直接加わることを阻止でき、タイバンド部分２５が切れたり、緩んだりすることはない。
【００１９】
タイバンド部分は、第１半割体２０における第２半割体３０との合わせ面２４から電線挿通空間１１とは反対側に突出した後、１８０°折り返されて電線挿通空間１１に進入し、第１半割体２０に設けられたバンド固定部２８を通って外部に引き出される構成としてもよい。
このような構成によると、タイバンド部分２５とバンド固定部２８の双方が第１半割体２０に設けられているから、第２半割体３０については従来のコネクタカバーをそのまま流用することができる。
【００２０】
第２半割体３０における第１半割体２０との合わせ面３４には、１８０°折り返されたタイバンド部分２５を電線挿通空間１１に進入させる凹部３５が設けられている構成としてもよい。
このような構成によると、１８０°折り返されたタイバンド部分２５を凹部３５に通すことにより、タイバンド部分２５を緩やかに曲げることができる。
【００２１】
＜他の実施形態＞
本明細書によって開示される技術は上記記述及び図面によって説明した実施形態に限定されるものではなく、例えば次のような種々の態様も含まれる。
（１）上記実施形態ではバンド固定部２８が第１半割体２０に設けられているものを例示しているものの、バンド固定部を第２半割体に設けてもよい。
【００２２】
（２）上記実施形態ではタイバンド部分２５が合わせ面２４から外部に向かった後、１８０°折り返されて電線挿通空間１１に進入しているものの、タイバンド部分が合わせ面２４から電線挿通空間１１に直接進入するものとしてもよい。
【００２３】
（３）上記実施形態では凹部３５を第２半割体３０に設けるようにしているものの、タイバンド部分２５の基端部を対向壁２７側に移動させることにより、第１半割体２０の合わせ面２４に凹部を設けてもよい。
【符号の説明】
【００２４】
１０…コネクタカバー
１１…電線挿通空間
２０…第１半割体
２４…合わせ面
２５…タイバンド部分
２８…バンド固定部
３０…第２半割体
３４…合わせ面
３５…凹部
Ｗ…電線
【図１】
2016213076.tif 000003
【図２】
2016213076.tif 000004
【図３】
2016213076.tif 000005
【図４】
2016213076.tif 000006
【図５】
2016213076.tif 000007
【図６】
2016213076.tif 000008
【図７】
2016213076.tif 000009